(57)【特許請求の範囲】
【請求項１】
生体の所定部位に巻回されるカフを備え、該カフ圧の徐速変化過程で該カフに発生するカフ脈波を採取し、該カフ脈波の振幅の変化に基づいて前記生体の血圧値を決定する形式の自動血圧測定装置であって、
二次元的に画素が配列された表示器と、
前記カフ脈波の振幅を記憶する記憶装置と、
該記憶装置に記憶された過去の血圧測定における前記振幅に基づいて、基準振幅を決定する基準振幅決定手段と、
該基準振幅決定手段により決定された基準振幅に基づいて、逐次採取されるカフ脈波の振幅を正規化した正規化振幅を逐次算出するする振幅正規化手段と、
前記振幅正規化手段により算出された正規化振幅を、該正規化振幅の前に算出された正規化振幅と比較可能に、前記カフ圧の徐速変化中に前記表示器に逐次表示する振幅表示手段と
を含むことを特徴とする自動血圧測定装置。
【請求項２】
前記記憶装置に記憶された過去の血圧測定における前記振幅を該振幅の発生順に連ねた振幅列を、前記振幅表示手段によって前記表示器に逐次表示されるカフ脈波の振幅と比較可能に表示する比較表示手段をさらに含むことを特徴とする請求項１に記載の自動血圧測定装置。
【発明の詳細な説明】
【０００１】
【発明の属する技術分野】
本発明は、血圧値を自動的に測定する自動血圧測定装置の改良に関するものである。
【０００２】
【従来の技術】
生体の血圧値を自動的に測定する血圧測定装置として、所謂オシロメトリック方式により自動的に血圧を測定する自動血圧測定装置が知られている。オシロメトリック方式の自動血圧測定装置は、生体の所定部位にカフを巻回し、そのカフの圧迫圧力を徐速変化させる過程でそのカフに発生するカフ脈波を採取し、そのカフ脈波の振幅の変化に基づいて血圧値を決定する。
【０００３】
上記自動血圧測定装置においては、血圧測定中の被測定者の体動や不整脈の発生、または周辺機器からのノイズ等によって血圧値が誤測定される場合がある。そこで、測定された血圧値の信頼性を判定するために、カフの圧迫強さを変量とする第１軸とカフ脈波の振幅を変量とする第２軸とから成る二次元グラフにおいて、カフ脈波の振幅を発生順に連ねた振幅列を表示させる場合がある。たとえば、本出願人が先に出願して公告された特公平２−２５６１０号公報に開示されている血圧測定装置がそれである。振幅列が表示されると、振幅の大きさや分布状態から血圧測定の信頼性が判定できる。そして、表示された振幅列から、測定された血圧値の信頼性がないと判断できる場合には、再度、血圧測定を実行させて信頼性のある血圧値を得ることができる。
【０００４】
【発明が解決しようとする課題】
上記従来の自動血圧測定装置は、手術中など患者の容態が急変する可能性がある場面で使用さることも多く、患者の容態が急変した場合には、適切な処置を施すために一刻も早く信頼性のある血圧値が得られることが求められる。しかし、従来の自動血圧測定装置では、血圧測定の異常が判断できるのは、血圧測定終了後である。そのため、血圧測定が異常である場合には、より迅速にその異常を判定できる自動血圧測定装置が求められていた。
【０００５】
本発明は以上の事情を背景として為されたもので、その目的とするところは、迅速に血圧測定の異常を判定できる自動血圧測定装置を提供することにある。
【０００６】
【課題を解決するための手段】
本発明者は、上記目的を達成するために検討を重ねた結果、オシロメトリック方式による血圧測定ではカフ脈波の振幅の変化から血圧値を決定するので、血圧測定中に、カフ脈波の振幅の変化を認識できるようにそのカフ脈波の振幅を逐次表示すれば、血圧測定中にその測定が異常であると判断できるとの考えに至った。本発明は係る考えに基づいて成されたものである。
【０００７】
なお、特開平１１−４８１３号公報に開示された自動血圧測定装置は、血圧測定中に得られるカフ脈波の振幅をその血圧測定中に逐次表示する機能を備えているが、一拍分のカフ脈波の振幅しか表示していないため、その振幅が正常であるのか、或いは不整脈や体動によって発生したノイズによるものなのかの判断が困難であった。
【０００８】
前記目的を達成するための請求項１に係る発明は、生体の所定部位に巻回されるカフを備え、そのカフ圧の徐速変化過程でそのカフに発生するカフ脈波を採取し、そのカフ脈波の振幅の変化に基づいて前記生体の血圧値を決定する形式の自動血圧測定装置であって、二次元的に画素が配列された表示器と、前記カフ脈波の振幅を記憶する記憶装置と、その記憶装置に記憶された過去の血圧測定における前記振幅に基づいて、基準振幅を決定する基準振幅決定手段と、その基準振幅決定手段により決定された基準振幅に基づいて、逐次採取されるカフ脈波の振幅を正規化した正規化振幅を逐次算出するする振幅正規化手段と、前記振幅正規化手段により算出された正規化振幅を、その正規化振幅の前に算出された正規化振幅と比較可能に、前記カフ圧の徐速変化中に前記表示器に逐次表示する振幅表示手段とを含むことを特徴とする。
【０００９】
最新のカフ脈波の振幅を常に一定の大きさで表示できるようにするため、その前の振幅を最新の振幅を基準として正規化して表示する場合など、逐次採取されるカフ脈波の振幅を、その血圧測定において採取されるいずれかのカフ脈波の振幅を基準として正規化して表示する場合、その血圧測定において採取されるカフ脈波が信頼性のある血圧値が得られないほどに全体的に微弱であることを判断することが困難であるが、この発明によれば、基準振幅決定手段によって、過去の血圧測定におけるカフ脈波の振幅に基づいて基準振幅が決定され、振幅正規化手段によって、逐次採取されるカフ脈波の振幅がその基準振幅に基づいて正規化されて正規化振幅とされる。そして、振幅表示手段により、その正規化振幅がその前に算出された正規化振幅と比較可能に逐次表示器に表示されるので、逐次採取されるカフ脈波の振幅が信頼性のある血圧値が得られないほどに小さいこと、すなわち、血圧測定が異常であることを、血圧測定中に判断することができる。
【００１２】
また、前記目的を達成するための請求項２に係る発明は、前記記憶装置に記憶された過去の血圧測定における前記振幅を該振幅の発生順に連ねた振幅列を、前記振幅表示手段によって前記表示器に逐次表示されるカフ脈波の振幅と比較可能に表示する比較表示手段をさらに含むことを特徴とする。
【００１３】
この発明によれば、比較表示手段により、過去の血圧測定における振幅をその発生順に連ねた振幅列が、逐次表示されるカフ脈波の振幅と比較可能に表示されるので、表示された振幅列が正常な血圧値が決定された場合の振幅列であれば、その振幅列と逐次表示される今回の血圧測定におけるカフ脈波の振幅とを比較して、逐次表示される今回の血圧測定におけるカフ脈波の振幅の変化傾向が、過去の振幅列の変化傾向と大きく異なった場合にはその時点で血圧測定が異常であると判断できる。
【００１４】
ここで、好ましくは、前記自動血圧測定装置は、前記振幅表示手段が、前記カフ圧を変量とするカフ圧軸と前記カフ脈波の振幅を変量とする振幅軸とからなる二次元グラフに前記カフ圧の徐速変化過程で採取されるカフ脈波の振幅およびそのカフ脈波の前に採取されたカフ脈波の振幅を表示するものであって、前記生体の血圧値が決定された時に、その血圧値を表す血圧表示記号を前記二次元グラフのカフ圧軸近傍に表示する血圧値記号表示手段をさらに含む。このようにすれば、血圧値記号とカフ脈波の振幅の変化傾向とを比較することで誤測定か否かの判断が容易になる。
【００１５】
【発明の好適な実施の形態】
以下、本発明の一実施形態を図面に基づいて詳細に説明する。図１は、自動血圧測定装置８の構成を説明する図である。
【００１６】
図１において、自動血圧測定装置８は、ゴム製袋を布製帯状袋内に有してたとえば患者の上腕部１２に巻回されるカフ１０と、このカフ１０に配管２０を介してそれぞれ接続された圧力センサ１４、切替弁１６、および空気ポンプ１８とを備えている。この切替弁１６は、カフ１０内への圧力の供給を許容する圧力供給状態、カフ１０内を徐々に排圧する徐速排圧状態、およびカフ１０内を急速に排圧する急速排圧状態の３つの状態に切り替えられるように構成されている。
【００１７】
圧力センサ１４は、カフ１０内の圧力を検出するものであって、カフ１０内の圧力を表す圧力信号ＳＰを静圧弁別回路２２および脈波弁別回路２４にそれぞれ供給する。静圧弁別回路２２はローパスフィルタを備え、圧力信号ＳＰに含まれる静圧成分すなわちカフ圧ＰＣを表すカフ圧信号ＳＣを弁別してそのカフ圧信号ＳＣをＡ／Ｄ変換器２６を介して電子制御装置２８へ供給する。
【００１８】
上記脈波弁別回路２４はバンドパスフィルタを備え、圧力信号ＳＰの振動成分であるカフ脈波信号ＳＭを周波数的に弁別してそのカフ脈波信号ＳＭをＡ／Ｄ変換器２９を介して電子制御装置２８へ供給する。このカフ脈波信号ＳＭが表すカフ脈波Ｗは、患者の心拍に同期して上腕動脈からカフ１０に伝達される圧力振動波であり、心拍と同じ周波数で周期的に変化する。上記Ａ／Ｄ変換器２９を通過した後のカフ脈波信号ＳＭは、数ミリ秒乃至数十ミリ秒程度のＡ／Ｄ変換器２９のサンプリング周期毎の瞬時値を示すデジタル信号であり、そのＡ／Ｄ変換器２９の分解能がたとえば２０２４ユニットであるとすると、たとえば０〜１００ｍＶの入力スパン内において２０２４段階で変化させられて出力される。
【００１９】
上記電子制御装置２８は、ＣＰＵ３０，ＲＯＭ３２，ＲＡＭ３４，および図示しないＩ／Ｏポート等を備えた所謂マイクロコンピュータにて構成されており、ＣＰＵ３０は、ＲＯＭ３２に予め記憶されたプログラムに従ってＲＡＭ３４の一時記憶機能を利用しつつ信号処理を実行することにより、Ｉ／Ｏポートから駆動信号を出力して切替弁１６および空気ポンプ１８を制御するとともに、所定のアルゴリズムを実行することにより決定した血圧値ＢＰを表す信号およびカフ脈波Ｗの振幅Ａを表す信号等を、液晶表示盤等の二次元的に画素が配列される表示面を有する表示器３６へ供給して、血圧値ＢＰ、カフ脈波Ｗの振幅Ａなどを表示器３６に表示させる。
【００２０】
起動停止押しボタン３８は、血圧測定を開始または停止させるために操作され、その起動停止押しボタン３８が操作されると起動停止信号が電子制御装置２８へ出力される。電子制御装置２８は、起動停止信号が供給されると、血圧測定が実行されていない場合には血圧測定を実行し、血圧測定実行中はその血圧測定を中止する。記憶装置４０は、磁気ディスク、磁気テープ、揮発性半導体メモリ、或いは不揮発性半導体メモリなどのよく知られた記憶装置により構成され、電子制御装置２８において血圧決定アルゴリズムが実行されることにより作成された振幅列や血圧値ＢＰ等をそれぞれ所定の記憶領域に記憶する。
【００２１】
図２は、前記電子制御装置２８の制御機能の要部を説明する機能ブロック線図である。カフ圧制御手段５０は、静圧弁別回路２２から供給されるカフ圧信号ＳＣに基づいて空気ポンプ１８および切替弁１６を制御して、カフ１０の圧迫圧力すなわちカフ圧ＰＣを最高血圧値ＢＰＳＹＳよりも高い値に設定された昇圧目標値ＰＣＭ（たとえば１８０ｍｍＨｇ）まで急速昇圧させた後、そのカフ圧ＰＣを２〜３ｍｍＨｇ／ｓｅｃ程度の一定の速度で徐速降圧させ、次述する血圧値決定手段５２によって血圧値ＢＰが決定された後にカフ圧ＰＣを大気圧まで急速に降圧させる。
【００２２】
血圧値決定手段５２は、上記カフ圧制御手段５０によってカフ１０の圧迫圧力が徐速降圧させられる過程で連続的に得られるカフ脈波信号ＳＭの変化に基づいて、よく知られたオシロメトリックアルゴリズムに従って、生体の最高血圧値ＢＰＳＹＳ、平均血圧値ＢＰＭＥＡＮ、最低血圧値ＢＰＤＩＡを決定する。すなわち、カフ１０の圧迫圧力が徐速降圧させられる過程で逐次得られるカフ脈波Ｗ（ｎ）（ｎ＝１，２，３…）についてその振幅Ａ（ｎ）を逐次決定し、その振幅Ａ（ｎ）をカフ脈波Ｗ（ｎ）の発生順に連ねたものである振幅列において、たとえば、振幅Ａ（ｎ）の大きさの変化率が所定の基準値を超えるほどに急激に変化したときのその振幅Ａ（ｎ）に対応するカフ圧ＰＣを最高血圧値ＢＰＳＹＳまたは最低血圧値ＢＰＤＩＡに決定し、振幅列における最大振幅Ａｍａｘに対応するカフ圧ＰＣを平均血圧ＢＰＭＥＡＮに決定する。なお、振幅Ａ（ｎ）に対応するカフ圧ＰＣとは、カフ脈波Ｗ（ｎ）がその振幅Ａ（ｎ）を示したときのカフ圧ＰＣをいう。そして、その決定した最高血圧値ＢＰＳＹＳ等を表示器３６に表示し、且つ、上記振幅列を構成する振幅Ａ（ｎ）をカフ圧ＰＣと対応させて記憶装置４０の所定の記憶領域に記憶する。
【００２３】
基準振幅決定手段５４は、記憶装置４０に記憶されている前回までの血圧測定における振幅Ａ（ｎ）に基づいて、基準振幅Ａｓｔを決定する。たとえば、前回の血圧測定における最大振幅Ａｍａｘ、前回の血圧測定における振幅Ａ（ｎ）の平均などを基準振幅Ａｓｔに決定する。
【００２４】
振幅正規化手段５６は、カフ圧ＰＣが徐速降圧させられているときに脈波弁別回路２４から供給される脈波信号ＳＭが表すカフ脈波Ｗ（ｎ）の振幅Ａ（ｎ）を、前記基準振幅決定手段５４によって決定された基準振幅Ａｓｔに基づいて正規化して正規化振幅ＡＦ（ｎ）を逐次算出する。すなわち、カフ脈波Ｗ（ｎ）の振幅Ａ（ｎ）を逐次決定し、その振幅Ａ（ｎ）を式１に代入して正規化振幅ＡＦ（ｎ）を逐次算出する。
（式１）  ＡＦ（ｎ）＝Ａ（ｎ）／Ａｓｔ
【００２５】
比較表示手段５８は、記憶装置４０に記憶された過去の血圧測定における振幅Ａ（ｎ）を、一回の血圧測定を一つの単位として振幅Ａ（ｎ）をその発生順に連ねた振幅列として、次述する振幅表示手段７２により逐次表示される今回の血圧測定における振幅Ａ（ｎ）と比較可能に表示する。図３の上段は、比較表示手段５８により表示される振幅列の一例を示す図である。図３の上段において、振幅列は、カフ圧ＰＣを変量とするカフ圧軸６０とカフ脈波Ｗ（ｎ）の振幅Ａ（ｎ）の大きさを変量とする振幅軸６２とから成る二次元グラフ６４において、各振幅Ａ（ｎ）が棒グラフとして表示されることにより構成される。また、カフ圧軸６０のすぐ下には、オシロメトリックアルゴリズムにより決定された最高血圧値ＢＰＳＹＳ、平均血圧値ＢＰＭＥＡＮ、および最低血圧値ＢＰＤＩＡをそれぞれ表す三角形状の血圧値記号６６，６８，７０も表示されている。なお、この振幅列は正常に測定された場合の例である。
【００２６】
振幅表示手段７２は、カフ圧ＰＣの徐速降圧過程で脈波弁別回路２４により逐次採取されるカフ脈波Ｗ（ｎ）の振幅Ａ（ｎ）を、上記カフ圧ＰＣの徐速降圧過程においてそのカフ脈波Ｗ（ｎ）の前に採取されたカフ脈波Ｗ（ｎ）の振幅Ａ（ｎ）と比較可能に、上記カフ圧の徐速降圧中に表示器３６に逐次表示するものである。本自動血圧測定装置８では、カフ脈波Ｗ（ｎ）の振幅Ａ（ｎ）として、カフ脈波Ｗ（ｎ）を振幅正規化手段５６によって正規化した後の正規化振幅ＡＦ（ｎ）を表示器３６に逐次表示する。また、その逐次表示される振幅Ａ（ｎ）（または正規化振幅ＡＦ（ｎ））と比較可能に表示される振幅は、少なくとも一拍前の振幅Ａ（ｎ−１）を含み、好ましくは、今回のカフ圧ＰＣの徐速降圧過程で得られるすべてのカフ脈波Ｗ（ｎ）の振幅Ａ（ｎ）である。
【００２７】
図３の下段は、振幅表示手段７２により逐次表示される正規化振幅ＡＦ（ｎ）の一例を示している。図３の下段において、正規化振幅ＡＦ（ｎ）は、前記二次元グラフ６４と同様のカフ圧軸６０および正規化振幅ＡＦ（ｎ）を変量とする正規化振幅軸７３から成る二次元グラフ７４に棒グラフとして表示されている。図３の下段に示す例は、今回の血圧測定で逐次得られる正規化振幅ＡＦ（ｎ）をすべて示す場合の例であり、この例では、正規化振幅ＡＦ（３）は正規化振幅ＡＦ（２）に対して著しく大きくなっており、また、正規化振幅ＡＦ（２）が示すカフ圧ＰＣと正規化振幅ＡＦ（３）が示すカフ圧ＰＣとの差は、正規化振幅ＡＦ（１）が示すカフ圧ＰＣと正規化振幅ＡＦ（２）が示すカフ圧ＰＣとの差に比べて明らかに大きくなっている。従って、正規化振幅ＡＦ（３）が表示された時点で、不整脈が発生したと判断でき、このまま血圧測定を継続しても血圧値ＢＰが決定できないか、決定できてもその血圧値ＢＰは信頼性に欠けると判断できる。なお、図３の下段に示す例では、正規化振幅ＡＦ（３）に続いて表示される正規化振幅ＡＦ（４）を正規化振幅ＡＦ（３）と比較すれば、正規化振幅ＡＦ（４）が正規化振幅ＡＦ（３）に比べて著しく小さいので、正規化振幅ＡＦ（４）が表示されると現在進行中の血圧測定が異常であることが一層確実に判断できる。また、図３に示す例では、上段の二次元グラフ６４と下段の二次元グラフ７４とは、横軸であるカフ圧軸６０の横方向の位置が一致するように配置されているので、過去の血圧測定において得られた振幅列と、血圧測定中に逐次表示される正規化振幅ＡＦ（ｎ）とが容易に比較できる。従って、逐次表示される正規化振幅ＡＦ（ｎ）の変化傾向が、上段において表示されている二次元グラフ６４の振幅列の変化傾向と大きく異なることからも、現在進行中の血圧測定が異常であると判断できる。
【００２８】
血圧値記号表示手段７６は、血圧値決定手段５２によりオシロメトリックアルゴリズムが実行されることにより決定された血圧値ＢＰを、その血圧値ＢＰが決定されたときに、前記二次元グラフ７４のカフ圧軸６０の近傍に表示する。図４は、振幅表示手段７２によって表示される正規化振幅ＡＦ（ｎ）の表示例であって、図３の下段に示した例とは別の例を示す二次元グラフ７４である。図４では、血圧値記号表示手段７６により表示される血圧値記号の例として、図３の上段の二次元グラフ６４におけるものと同じ三角形状の血圧値記号６６、６８、７０を示す。図４に示すように、血圧測定中に、最小血圧値ＢＰＤＩＡを示す血圧値記号７０が二次元グラフ７４に表示されると、一時的にカフ脈波の振幅が弱く検出されたことによって、そのときのカフ圧ＰＣが最小血圧値ＢＰＤＩＡに決定されたが、その後に検出されたカフ脈波Ｗ（ｎ）の振幅Ａ（ｎ）から、上記最小血圧値ＢＰＤＩＡは誤測定であることが、血圧測定中に判断できる。
【００２９】
図５は、図２に示した電子制御装置２８の制御機能の要部をさらに具体化して説明するためのフローチャートである。図５において、ステップ（以下、ステップを省略する）Ｓ１では、起動停止押しボタン３８が操作されることにより、起動停止信号が供給されたか否かが判断される。このＳ１の判断が否定された場合はＳ１の判断が繰り返し実行される。一方、Ｓ１の判断が肯定された場合には、続いて基準振幅決定手段５４に相当するＳ２が実行される。Ｓ２では、記憶装置４０に記憶されている前回の血圧測定における振幅Ａ（ｎ）のうちの最大振幅Ａｍａｘが基準振幅Ａｓｔに決定される。なお、初回の血圧測定であって記憶装置４０に振幅Ａ（ｎ）が記憶されていない場合には、実験に基づいて予め設定された所定振幅が基準振幅Ａｓｔに決定される。
【００３０】
続いて比較表示手段５８に相当するＳ３が実行される。Ｓ３では、前回の本ルーチンの実行において、後述するＳ１８で記憶装置４０に記憶された振幅列を、図３の上段に示すように表示する。なお、血圧測定中に測定が異常であると判断された場合には強制的に血圧測定が中止されるので、Ｓ１８で記憶装置４０に記憶されるのは、正常に血圧測定が終了したと判断される場合である。従って、Ｓ３で表示される振幅列は、正常な血圧測定における振幅列を表している。
【００３１】
続くＳ４では、空気ポンプ１８が起動され且つ切替弁１６が圧力供給状態に切り替えられることにより、カフ１０の圧迫圧力すなわちカフ圧ＰＣの急速昇圧が開始される。続くＳ５では、カフ圧ＰＣが予め設定さた昇圧目標値ＰＣＭ以上となったか否かが判断される。この昇圧目標値ＰＣＭは、一般的な最高血圧値ＢＰＳＹＳよりも高い値であって、たとえば１８０ｍｍＨｇに設定される。
【００３２】
上記Ｓ５の判断が否定されるうちはＳ５の判断が繰り返し実行され、その間にカフ圧ＰＣの昇圧が継続される。そしてカフ圧ＰＣの上昇によりＳ５の判断が肯定されると、Ｓ６が実行されて空気ポンプ１８の駆動が停止されるとともに切替弁１６が徐速排圧状態に切り替えられる。これにより、カフ圧ＰＣの２乃至３ｍｍＨｇ／ｓｅｃ程度の速度での徐速降圧が開始させられる。
【００３３】
続くＳ７では、Ａ／Ｄ変換器２９から所定のサンプリング周期にて逐次供給される脈波信号ＳＭに基づいて振幅Ａ（ｎ）が決定できるだけのカフ脈波Ｗ（ｎ）が検出されたか否かが判断される。この判断は、たとえばカフ脈波Ｗ（ｎ）の立ち上がり点およびピークが検出されたことをもって判断される。
【００３４】
続くＳ８では、上記Ｓ７で検出されたカフ脈波Ｗ（ｎ）について、その振幅Ａ（ｎ）が算出される。この振幅Ａ（ｎ）はカフ脈波Ｗ（ｎ）のピークにおける信号強度と立ち上がり点における信号強度の差から算出される。続くＳ９では、上記Ｓ８で算出された振幅Ａ（ｎ）がカフ脈波Ｗ（ｎ）のピークが検出された時のカフ圧ＰＣとともにＲＡＭ３４に一時的に記憶される。
【００３５】
続いて振幅正規化手段５６に相当するＳ１０が実行される。そのＳ１０では、前記Ｓ８で算出された振幅Ａ（ｎ）と、前記Ｓ２で決定された基準振幅Ａｓｔが前記式１に代入されることによって、正規化振幅ＡＦ（ｎ）が算出される。
【００３６】
続いて振幅表示手段７２に相当するＳ１１が実行され、上記Ｓ１０で算出された正規化振幅ＡＦ（ｎ）が、前述の図３の下段の二次元グラフ７４に棒グラフとして逐次表示される。
【００３７】
続いて血圧値決定手段５２に相当するＳ１２において、血圧決定アルゴリズムが実行される。すなわち、Ｓ１２では、前記Ｓ８で算出されたカフ脈波Ｗ（ｎ）の振幅Ａ（ｎ）の変化に基づいて、最高血圧値ＢＰＳＹＳ、平均血圧値ＢＰＭＥＡＮ、最低血圧値ＢＰＤＩＡを決定するためのよく知られたオシロメトリック方式の血圧値決定アルゴリズムが実行される。
【００３８】
続くＳ１３では、最高血圧値ＢＰＳＹＳ、平均血圧値ＢＰＭＥＡＮ、最低血圧値ＢＰＤＩＡのうちのいずれか一つが決定されたか否かが判断される。この判断が否定された場合には、前記Ｓ７以降が繰り返し実行されることにより、再びカフ脈波Ｗ（ｎ）が検出され、そのカフ脈波Ｗ（ｎ）の振幅Ａ（ｎ）を正規化した正規化振幅ＡＦ（ｎ）が、カフ圧ＰＣの徐速降圧過程において逐次表示器３６に表示される。
【００３９】
一方、上記Ｓ１３の判断が肯定された場合には、血圧値記号表示手段７６に相当するＳ１４において、たとえば図４に示すような血圧値記号６６，６８，７０が、表示器３６に表示されている二次元グラフ７４のカフ圧軸６０のすぐ下に表示される。
【００４０】
続くＳ１５では、血圧値ＢＰの決定が完了したか否かが判断される。最高血圧値ＢＰＳＹＳ、平均血圧値ＢＰＭＥＡＮ、最低血圧値ＢＰＤＩＡのうちで最低血圧値ＢＰＤＩＡが最後に決定されるので、Ｓ１５では、最低血圧値ＢＰＤＩＡが決定されたか否かが判断される。当初は、このＳ１５の判断が否定されるので、前記Ｓ７以降が繰り返し実行される。
【００４１】
一方、Ｓ１５の判断が肯定されると、続くＳ１６において、切替弁１６が急速排圧状態に切り替えられることによって、カフ１０内の空気が急速に排気されて圧迫が解放される。図５のフローチャートでは、Ｓ４乃至Ｓ６、Ｓ１６がカフ圧制御手段５０に相当する。
【００４２】
続くＳ１７では、前記Ｓ１２において決定された最高血圧値ＢＰＳＹＳ、平均血圧値ＢＰＭＥＡＮ、最低血圧値ＢＰＤＩＡが表示器３６に数値表示される。そして、続くＳ１８において、前記Ｓ７乃至Ｓ１５の繰り返しにおいてＳ８でＲＡＭ３４に一時記憶された振幅列すなわち一連の振幅Ａ（ｎ）、およびその振幅Ａ（ｎ）に対応するカフ圧ＰＣが、記憶装置４０の所定の記憶領域に記憶されて本ルーチンは終了させられる。なお、本ルーチンが実行されている間に、表示器３８に逐次表示される正規化振幅ＡＦ（ｎ）から血圧測定が異常であると判断されて起動停止押しボタン３８が操作された場合には、本ルーチンは中止させられる。
【００４４】
上述のフローチャートに基づく実施例では、Ｓ２（基準振幅決定手段５４）において、前回の血圧測定における最大振幅Amaxが基準振幅Astに決定され、Ｓ１０（振幅正規化手段５６）において、逐次採取されるカフ脈波W(n)の振幅A(n)がその基準振幅Astに基づいて正規化されて正規化振幅AF(n)とされる。そして、Ｓ１１（振幅表示手段７２）において、その正規化振幅AF(n)がその前に算出された正規化振幅AF(n)と比較可能に逐次表示器３６に表示されるので、逐次採取されるカフ脈波W(n)の振幅A(n)が信頼性のある血圧値BPが得られないほどに小さいこと、すなわち、血圧測定が異常であることを、血圧測定中に判断することができる。
【００４５】
また、上述のフローチャートに基づく実施例では、Ｓ３（比較表示手段５８）において、前回の血圧測定における振幅Ａ（ｎ）をその発生順に連ねた振幅列が、逐次表示される正規化振幅ＡＦ（ｎ）と比較可能に表示されるので、その振幅列と逐次表示される今回の血圧測定における正規化振幅ＡＦ（ｎ）とを比較して、逐次表示される今回の血圧測定における正規化振幅ＡＦ（ｎ）の変化傾向が、過去の振幅列の変化傾向と大きく異なった場合にはその時点で血圧測定が異常であると判断できる。
【００４６】
また、上述のフローチャートに基づく実施例では、Ｓ１４（血圧値記号表示手段７６）において、血圧値ＢＰが決定されたときに、表示器３６に表示されている二次元グラフ７４のカフ圧軸６０のすぐ下に、血圧値記号６６，６８，７０が表示されるので、血圧値記号６６，６８，７０と正規化振幅ＡＦ（ｎ）の変化傾向とを比較することで誤測定か否かの判断が容易になる。
【００４７】
以上、本発明の一実施例を図面に基づいて説明したが、本発明は他の態様においても適用される。
【００４８】
例えば、前述の振幅表示手段７２では、振幅Ａ（ｎ）を棒グラフで逐次表示する例を説明したが、折れ線グラフ等の他の形態で振幅Ａ（ｎ）が表示されてもよい。
【００４９】
また、前述の比較表示手段５８では、今回の血圧測定における振幅Ａ（ｎ）と比較可能に表示する振幅列として、前回の血圧測定における振幅列を表示する例を説明したが、前回の血圧測定における振幅列だけでなく過去の複数回の血圧測定における振幅列を表示してもよい。その際、図６に示すように、カフ圧軸６０、振幅軸６０および測定時刻を変量とする測定時刻軸７８からなる三次元グラフ８０に、過去の複数回の血圧測定における振幅列と、今回の血圧測定における振幅Ａ（ｎ）とを表示してもよい。なお、図６では、過去の血圧測定における振幅列を一点鎖線で示し、今回の血圧測定における振幅Ａ（ｎ）を実線で示している。
【００５０】
また、前述の自動血圧測定装置８は、起動停止押しボタン３８が操作された場合に血圧測定が開始されていたが、所定の血圧測定周期毎に自動的に血圧測定が開始されてもよい。
【００５１】
また、前述の振幅表示手段７２では、カフ圧軸６０と正規化振幅軸７３とからなる二次元グラフ７４に正規化振幅ＡＦ（ｎ）を逐次表示する例を説明したが、カフ圧ＰＣの徐速降圧速度は一定であることから、カフ圧ＰＣの徐速降圧過程においてはカフ圧ＰＣと時間とは一対一に対応する。従って、カフ圧軸６０に代えて時間軸が用いられてもよい。
【００５２】
以上、本発明の実施形態を図面に基づいて詳細に説明したが、これはあくまでも一実施形態であり、本発明は当業者の知識に基づいて種々の変更、改良を加えた態様で実施することができる。
【図面の簡単な説明】
【図１】本発明が適用された自動血圧測定装置の構成を説明する図である。
【図２】図１の電子制御装置の制御機能の要部を説明する機能ブロック線図である。
【図３】前回の血圧測定における振幅列と、今回の血圧測定において算出された正規化振幅ＡＦ（ｎ）とが比較可能に表示された例を示す図である。
【図４】逐次表示される正規化振幅ＡＦ（ｎ）を例示する図であって、図３の下段に示した例とは別の例を示す図である。
【図５】図２に示した電子制御装置の制御機能の要部をさらに具体化して説明するためのフローチャートである。
【図６】逐次表示される正規化振幅ＡＦ（ｎ）を例示する図であって、図３とは別の表示形態を示す図である。
【符号の説明】
８：自動血圧測定装置
１０：カフ
３６：表示器
４０：記憶装置
５４：基準振幅決定手段
５６：振幅正規化手段
５８：比較表示手段
７２：振幅表示手段
７６：血圧値記号表示手段
【図１】
0003603036.tif 000002
【図２】
0003603036.tif 000003
【図３】
0003603036.tif 000004
【図４】
0003603036.tif 000005
【図５】
0003603036.tif 000006
【図６】
0003603036.tif 000007